(57)【要約】【課題】  コンパクト容器の化粧収納中皿の着脱が容易とした。【解決手段】  収納凹部７内へ化粧品収納用中皿６を嵌合させるコンパクト容器において、収納凹部周壁の一部の左右両部を、上部は連結されて垂下し、内外両方向へ弾性揺動可能な係合板８に形成し、該係合板内面と中皿６の外面とに凹凸の係合手段11を設けると共に、収納凹部底壁の一部を上下方向への弾性揺動可能な弾性揺動板13として該揺動板の自由端を上記両係合板８の下端部へ近接ないし当接させた。【選択図】  図５
2005334548.tif 000002
【特許請求の範囲】
【請求項１】
容器本体１が有する収納凹部７内へ中皿６を嵌合させたコンパクト容器において、
上記収納凹部周壁一部の左右両部を、上部は連結されて内外両方向への弾性揺動が可能に垂下する左右一対の係合板８に形成して、これ等両係合板の内面と上記中皿外面とをそれぞれ係合手段11で係合させ、又上記収納凹部底壁の一部を、上下方向への弾性揺動板13に形成して該揺動板の自由端を上記両係合板下端部へ近接ないし当接させ、容器本体下方からの弾性揺動板13押上げにより両係合板８が外方へ揺動して両係合手段11が外れると共に弾性揺動板13が中皿６を押上げ可能に形成した
ことを特徴とするコンパクト容器。
【請求項２】
上記両係合板間に間隙をおいて、該間隙の全部ないし一部を弾性薄板23で閉塞した
ことを特徴とする、請求項１記載のコンパクト容器。
【請求項３】
上記収納凹部７を、容器本体の収納室内へ嵌合させた有底枠５で形成して収納凹部周壁を有底枠の枠部で、かつ収納凹部底壁を有底枠の底壁部でそれぞれ形成し、弾性揺動板13下方の容器本体底壁部分に揺動板押上げ用の窓孔を開口した
ことを特徴とする請求項１又は２記載のコンパクト容器。
【請求項４】
上記収納凹部７を、容器本体底壁上面と、該底壁外周から起立する容器本体周壁内面へ嵌着させた枠体18の周壁内面とで形成し、又収納凹部周壁を、枠体周壁で形成した
ことを特徴とする、請求項１又は２記載のコンパクト容器。
【発明の詳細な説明】
【技術分野】
【０００１】
本発明は化粧用のコンパクト容器に関する。
【背景技術】
【０００２】
コンパクト容器として、皿状の容器本体内に中枠を嵌着させ、この中枠に化粧品を充填した中皿を嵌着したものが広く一般に知られている。これらコンパクト容器はその経済性を考慮して収納化粧品がなくなった場合に化粧品が充填された中皿のみを交換したり、或いは収納化粧品の多様化に伴い、色、種類等の異なる化粧品を充填した中皿を使用途中で交換したりすることが行われている。
【０００３】
本出願人は先に、その中皿の取外しが容易なコンパクト容器を特許出願したが（特許文献１）、このようにすると、容器本体の中皿収納用凹部の底壁に形成した弾性揺動板の押上げにより、中皿収納凹部の周壁一部で、中皿周壁と凹凸係合する弾性係合板が該係合板横断面の中間部よりも両側部が早く外方へ開いて係合板中間部の外方移動が遅れ、そのため係合板全体を中皿収納凹部外方へ揺動させるためには、上記弾性揺動板を一度押上げした後に再度押上げしなければ、上記係合板巾方向中間の外方移動をさせることが出来ない場合があった。
【特許文献１】特願２００３−３７２１０５号
【発明の開示】
【発明が解決しようとする課題】
【０００４】
本発明は上記弾性揺動板の押上げで係合板が容易に外方へ揺動し、従って続けて上昇する弾性揺動板が中皿一部を押上げて、該中皿の取外しが容易に行えるよう設けたものである。
【課題を解決するための手段】
【０００５】
第１の手段として容器本体１が有する収納凹部７内へ中皿６を嵌合させたコンパクト容器において、
上記収納凹部周壁一部の左右両部を、上部は連結されて内外両方向への弾性揺動が可能に垂下する左右一対の係合板８に形成して、これ等両係合板の内面と上記中皿外面とをそれぞれ係合手段11で係合させ、又上記収納凹部底壁の一部を、上下方向への弾性揺動板13に形成して該揺動板の自由端を上記両係合板下端部へ近接ないし当接させ、容器本体下方からの弾性揺動板13押上げにより両係合板８が外方へ揺動して両係合手段11が外れると共に弾性揺動板13が中皿６を押上げ可能に形成した。
【０００６】
第２の手段として、上記第１の手段を有すると共に上記両係合板間に間隙をおいて、該間隙の全部ないし一部を弾性薄板23で閉塞した。
【０００７】
第３の手段として、上記第１又は第２の手段を有すると共に上記収納凹部７を、容器本体の収納室内へ嵌合させた有底枠５で形成して収納凹部周壁を有底枠の枠部で、かつ収納凹部底壁を有底枠の底壁部でそれぞれ形成し、弾性揺動板13下方の容器本体底壁部分に揺動板押上げ用の窓孔を開口した。
【０００８】
第４の手段として、上記第１又は第２の手段を有すると共に上記収納凹部７を、容器本体底壁上面と、該底壁外周から起立する容器本体周壁内面へ嵌着させた枠体18の周壁内面とで形成し、又収納凹部周壁を、枠体周壁で形成した。
【発明の効果】
【０００９】
請求項１記載のように、係合板８を左右一対として、それぞれが弾性揺動板自由端で押上げられるように形成したことで各係合板は横巾方向において弯曲することなく、同時に外方へ押出され、従って該係合板外方押出しに続いて中皿一部が押上げられることとなり、このようにして収納凹部内からの中皿６取外しを容易かつ迅速に行うことが出来る。
【００１０】
請求項２のようにすることで、請求項１記載の効果のほか両係合板８は弾性薄板23により補強され、各係合板が弾性揺動板自由端の押上げによって長期にわたって弾性揺動されてもその係合板が損傷することを防止できる。
【００１１】
請求項３のようにすることで、上記第１、第２請求項記載の効果のほか、収納凹部７全体と有底枠５だけで形成できるから、構造を簡易化でき、又該有底枠内に複数収納凹部７を形成できる。
【００１２】
請求項４のようにすることで、上記第１、第２請求項記載の効果を有するほか収納凹部７周壁の形成が容易となり、又容器本体内に複数収納凹部を形成できる。
【発明を実施するための最良の形態】
【００１３】
以下図面について説明する。まず図１から図５が示す第１実施形態について説明する。    
【００１４】
まず従来公知の構造について簡単に説明すると、１はコンパクト容器の容器本体で、該本体と、該本体上面を開閉する蓋体２とは各後部で枢着され、各前部で係合させている。容器本体は図１が示すように凹部３を有し、該凹部内には左右方向中間部を仕切壁４で区画した有底枠５を嵌合させ、その一方、図示例で左方枠部分内を化粧品収納用の中皿６嵌合用の収納凹部７としている。
【００１５】
その収納凹部には中皿取出し装置を設ける。本発明では図２、図３が示すように収納凹部周壁を形成する枠周壁の一部の左右両部を、上部は連結されて、内外両方向への弾性揺動が可能に垂下する左右一対の係合板８に形成し、これ等両係合板の内面と中皿６外面とに付形した凹部９と凸部10とで、凹凸の係合手段11を形成し、又収納凹部底壁としての有底枠底壁12の一部を上下方向への弾性揺動板13に形成して、その弾性揺動板の自由端を図４イが示すように上記両係合板８の下端内縁へ当接ないし近接させ、又弾性揺動板13下方の容器本体底壁14を開口15し、同図ロが示すようにその開口を介しての弾性揺動板13の上方押上げで上記係合手段11が外れ、続けて上方押上げすることで、同図ハが示すように中皿６外周の一部が弾性揺動板により押上げられるよう設けた。
【００１６】
上記開口15上方の弾性揺動板部分は下方へ凹陥させて、通常その凹陥部が開口内へ遊挿されるよう設けるとよい。
【００１７】
図示例では図３が示すように両係合板８間に相当の間隙を設けてその間隙上縁の中間部から板16を垂下するが、該板は省略してもよく、又上記間隙も狭くすることが出来る。
【００１８】
又既述係合手段用の凸部10は各係合板８間の間隙側に付設し、その凸部側の係合板側部と反対側の側部には、隆起突条17を縦設している。これ等隆起突条は図２が示すように弾性揺動板13の自由端押上げ時にその隆起突条内面に上記自由端が接して係合板８が、外方へ揺動するよう設けたものである。
【００１９】
図６、図７、図８は第２実施形態を示す。既述第１実施形態と同一部分については同一符号を付することで説明を省略する。
【００２０】
該実施形態は、第１実施形態における有底枠５を無底の枠体18に代えたものであり、従って弾性揺動板13は容器本体の底壁14一部で形成することとなる。該弾性揺動板13は図示のように、基部に薄肉の弾性変形部19を有する別部材としての弾性板20を用意して、該弾性板基端部を収納凹部底壁に穿設した窓孔21の側部内面へ固定して形成してもよく、又収納凹部底壁でそのまま形成してもよい。その自由端上面には突条22を付設することが望ましい。
【００２１】
該第２実施形態の場合は、図７が示すように左右一対の係合板８間に間隙を設けてその間隙上半部を弾性薄板23で閉塞している。該弾性薄板は両係合板８を補強するためのもので、上記間隙の全体を閉塞させてもよい。
【図面の簡単な説明】
【００２２】
【図１】本発明容器の容器本体平面図である。
【図２】図１容器要部の拡大断面図である。
【図３】図２要部の正面図である。
【図４】図１中皿の押上げ操作を示すもので、同図イは収納凹部内への中皿嵌合状態、同図ロは中皿への係合取外し状態、同図ハは中皿押上げ状態を示す説明図である。
【図５】容器本体要部の斜視図である。
【図６】第２実施形態で示す容器要部の拡大断面図である。
【図７】図５要部の拡大正面図である。
【図８】図６と異なる位置で示す容器要部の拡大断面図である。
【符号の説明】
【００２３】
１  容器本体                        ５  有底枠
６  中皿                            ７  収納凹部
８  係合板                          10  凸部
11  係合手段                        13  弾性揺動板
17  隆起突条                        18  枠体
21  窓孔
【図１】
2005334548.tif 000003
【図２】
2005334548.tif 000004
【図３】
2005334548.tif 000005
【図４】
2005334548.tif 000006
【図５】
2005334548.tif 000007
【図６】
2005334548.tif 000008
【図７】
2005334548.tif 000009
【図８】
2005334548.tif 000010